(57)【要約】【課題】軸筒３の隆起部３Ａの両側に溝部３Ｃを形成することにより、軸筒３の成形が簡単となりコストが下がる。また、バネ１の脚部１Ｂを溝部３Ｃに挿入した時、脚部１Ｂが撓んで溝部３Ｃに挿入されるのでクリップ２ががたつくことなく軸筒３に取り付けられるクリップ取付装置を提供する。【解決手段】クリップ２のＵ字形の溝部２Ａにバネ１のＵ字形部１Ａを配置し、バネ１の脚部１Ｂが軸筒３の隆起部３Ａの両側に形成された溝部３Ｃに挿入する。このクリップ２は、軸筒３の凹部３Ｂに押されたクリップ２の突部２Ｃを支点としてバネ１の弾力によりクリップ２の受部２Ｄが軸筒３の表面に押される。また、クリップ２の後部２Ｅを押すことによりクリップ２は拡開する。【選択図】        図１
2006192724.tif 000002
【特許請求の範囲】
【請求項１】
線材の中間部を半円状に折り曲げてＵ字形部を形成し、この２つに折り曲げられた脚部の中間を内側に折り曲げて構成したバネと、表面にＵ字形の溝部を形成するとともに、この溝部の後端に開口孔を形成し、このＵ字形の溝部の前端と後端の間の裏面に下方に突出した突部を形成したクリップと、更に、後部に隆起部を形成し、この隆起部の上面に凹部を形成するとともに両側に溝部を形成した軸筒からなり、クリップのＵ字形の溝部にバネのＵ字形部を配置し、かつ、クリップの開口孔を挿通して下方に突出したバネの脚部が前記軸筒の隆起部の両側に形成された溝部にそれぞれ挿入され、軸筒の凹部に押されたクリップの突部を支点としてバネの弾力によりクリップの受部が軸筒の表面に押圧されるとともに、クリップの後部は突部より適宜後方に伸びて構成したことを特徴とする筆記具のクリップ取付装置。
【請求項２】
線材の中間部を半円状に折り曲げてＵ字形部を形成し、この２つに折り曲げられた脚部の中間を内側に折り曲げて構成したバネと、表面にＵ字形の溝部を形成するとともに、この溝部の後端に接続する切溝を形成し、このＵ字形の溝部の前端と後端の間の裏面に下方に突出した突部を形成したクリップと、更に、後部に隆起部を形成し、この隆起部の上面に凹部を形成するとともに両側に溝部を形成した軸筒からなり、クリップのＵ字形の溝部にバネのＵ字形部を配置し、かつ、クリップの切溝を挿通して下方に突出したバネの脚部が前記軸筒の隆起部の両側に形成された溝部にそれぞれ挿入され、軸筒の凹部に押されたクリップの突部を支点としてバネの弾力によりクリップの受部が軸筒の表面に押圧されるとともに、クリップの後部は突部より適宜後方に伸びて構成したことを特徴とする筆記具のクリップ取付装置。
【発明の詳細な説明】
【技術分野】
【０００１】
本発明は、クリップの後部を押すことにより拡開する筆記具のクリップ取付装置に関する。
【背景技術】
【０００２】
従来、軸筒やキャップ等の筒体の表面側に略Ｕ字状挟みバネの一端側を、筒体頂部側に形成された挿入孔に挿込み状に固定し、該挟みバネの他端側を筒体の表面に沿わしめ、クリップの前端部が筒体表面に弾圧接するように構成した筆記具のクリップ取付装置が知られている。（特許文献１参照）
【特許文献１】特開２００１−１４６０９４号公報（段落０００５）
【発明の開示】
【発明が解決しようとする課題】
【０００３】
軸筒に挿入孔を形成する場合には、軸筒を形成する加工が複雑でコスト高になってしまうものであった。また、Ｕ字状挟みバネの一端側を挿入孔に挿込んだ時、隙間があるとクリップがぐらついてしまい、隙間がないと挿込む時の摩擦抵抗が大きく非常に挿込みにくいという課題が生じるものであった。
【課題を解決するための手段】
【０００４】
本発明は、線状の中間部を半円状に折り曲げてＵ字形部を形成し、この２つに折り曲げられた脚部の中間を内側に折り曲げて構成したバネと、表面にＵ字形の溝部を形成するとともに、この溝部の後端に開口孔を形成し、このＵ字形の溝部の前端と後端の間の裏面に下方に突出した突部を形成したクリップと、更に、後部に隆起部を形成し、この隆起部の上面に凹部を形成するとともに両側に溝部を形成した軸筒からなり、クリップのＵ字形の溝部にバネのＵ字形部を配置し、かつ、クリップの開口孔を挿通して下方に突出したバネの脚部が前記軸筒の隆起部の両側に形成された溝部にそれぞれ挿入され、軸筒の凹部に押されたクリップの突部を支点としてバネの弾力によりクリップの受部が軸筒の表面に押圧されるとともに、クリップの後部は突部より適宜後方に伸びて構成したことを第１の要旨とする。
【０００５】
また、線材の中間部を半円状に折り曲げてＵ字形部を形成し、この２つに折り曲げられた脚部の中間を内側に折り曲げて構成したバネと、表面にＵ字形の溝部を形成するとともに、この溝部の後端に接続する切溝を形成し、このＵ字形の溝部の前端と後端の間の裏面に下方に突出した突部を形成したクリップと、更に、後部に隆起部を形成し、この隆起部の上面に凹部を形成するとともに両側に溝部を形成した軸筒からなり、クリップのＵ字形の溝部にバネのＵ字形部を配置し、かつ、クリップの切溝を挿通して下方に突出したバネの脚部が前記軸筒の隆起部の両側に形成された溝部にそれぞれ挿入され、軸筒の凹部に押されたクリップの突部を支点としてバネの弾力によりクリップの受部が軸筒の表面に押圧されるとともに、クリップの後部は突部より適宜後方に伸びて構成したことを第２の要旨とする。
【発明の効果】
【０００６】
本発明の筆記具のクリップ取付装置は、軸筒の隆起部の両側に溝部を形成するので、軸筒の成形が簡単となりコストが下がるとともに、バネの脚部を溝部に挿入した時、脚部が撓んで溝部に挿入されるのでクリップががたつくことなく軸筒に取り付けられる利点がある。
【発明を実施するための最良の形態】
【０００７】
軸筒の隆起部の両側に溝部を形成し、この溝部にクリップに設けられた線材からなるバネの脚部を挿入し、２つの脚部で軸筒の隆起部を挟むので、クリップががたつく心配がない筆記具のクリップ取付装置を実現した。
【実施例１】
【０００８】
図１、図２及び図３により本発明の実施例１を説明する。先ず、金属製の線材の中間部を半円状に折り曲げてＵ字形部１Ａを形成し、この２つに折り曲げられた脚部１Ｂの中間を内側に折り曲げてバネ１を構成する。
【０００９】
また、クリップ２の表面にＵ字形の溝部２Ａを形成するとともに、この溝部２Ａの後端に開口孔２Ｂを形成し、このＵ字形の溝部２Ａの前端と後端の間の裏面に下方に突出した突部２Ｃを形成する。
【００１０】
更に、軸筒３の後部に隆起部３Ａを形成し、この隆起部３Ａの上面に凹部３Ｂを形成するとともに中間部両側に溝部３Ｃを形成する。この軸筒３の隆起部３Ａの上面は、凹部３Ｂより後方に位置して傾斜面３Ｄが形成される。この傾斜面３Ｄは後方に行くに従って低くなる斜面となっている。
【００１１】
先ず、クリップ２にバネ１を取り付けるには、バネ１の脚部１Ｂをクリップ２の開口孔２Ｂを挿通して内側に突出させるとともに、バネ１のＵ字形部１Ａをクリップ２のＵ字形の溝部２Ａに嵌め込む。このバネ１の脚部１Ｂを後方より軸筒３の溝部３Ｃに嵌め込むとともに、クリップ２の突部２Ｃが軸筒３の傾斜面３Ｄに沿って前進し、クリップ２の突部２Ｃが軸筒３の凹部３Ｂに回動可能に嵌め込まれる。このクリップ２は、突部２Ｃの前方に位置するバネ１のＵ字形部１Ａで押し下げられ、クリップ２の突部２Ｃを支点としてバネ１の弾力によりクリップ２の受部２Ｄが軸筒３の表面に押圧される。また、クリップ２の後部２Ｅは突部２Ｃより適宜後方に伸びるとともに、軸筒３の表面より適宜離間して構成される。
【００１２】
このクリップ２で服のポケット等に差して携帯する場合には、先ず、クリップ２の後部２Ｅを押圧すると、クリップ２の突部２Ｃを支点としてクリップ２の先端が拡開し図４の状態となる。この状態で筆記具を服のポケットに挿入し、クリップ２をポケットに掛ける。次に、クリップ２の後部２Ｅを押圧している力を解除すれば、バネ１の弾力によりクリップ２の先端が閉じて受部２Ｄが服のポケットを挟持する。
【実施例２】
【００１３】
図５及び図６により本発明の実施例２を説明する。尚、図１と同一の部品は同一の符号を付してその説明を省略する。先ず、クリップ１２の表面にＵ字形の溝部１２Ａを形成するとともに、この溝部１２Ａの後端と接続し、クリップ１２の両端に伸びた切溝１２Ｆを形成する。
【００１４】
このクリップ１２にバネ１を取り付けるには、バネ１の脚部１Ｂをクリップ１２の切溝１２Ｆより挿入し、バネ１のＵ字形部１Ａをクリップ１２のＵ字形の溝部１２Ａに嵌め込む。このバネ１の脚部１Ｂを後方より軸筒３の溝部３Ｃに嵌め込むとともに、クリップ１２の突部１２Ｃが軸筒３の傾斜面３Ｄに沿って前進し、クリップ１２の突部１２Ｃが軸筒３の凹部３Ｂに回動可能に嵌め込まれる。このクリップ１２は、突部１２Ｃの前方に位置するバネ１のＵ字形部１Ａで押し下げられ、クリップ１２の突部１２Ｃを支点としてバネ１の弾力によりクリップ１２の受部１２Ｄが軸筒３の表面に押圧される。また、クリップ１２の後部１２Ｅは突部１２Ｃより適宜後方に伸びるとともに、軸筒３の表面より適宜離間して構成される。
【００１５】
このクリップ１２も、後部１２Ｅを押圧することによりバネ１が撓んで拡開する。
【産業上の利用可能性】
【００１６】
後部を押すことにより拡開するクリップが簡単に取り付けられる筆記具のクリップ取付装置に適用できる。
【図面の簡単な説明】
【００１７】
【図１】本発明の実施例１の筆記具のクリップ取付装置を示す主要部部分断面図である。（実施例１）
【図２】図１のＡ−Ａ線を示す拡大断面図である。（実施例１）
【図３】本発明の実施例１の筆記具のクリップ取付装置を示す主要部平面図である。（実施例１）
【図４】本発明の実施例１のクリップが拡開した状態を示す主要部部分断面図である。（実施例１）
【図５】本発明の実施例２のクリップを示す平面図である。（実施例２）
【図６】本発明の実施例２の筆記具のクリップ取付装置を示す主要部部分断面図である。（実施例２）
【符号の説明】
【００１８】
１  バネ
１Ａ  バネ１のＵ字形部
１Ｂ  バネ１の脚部
２  クリップ
２Ａ  クリップ２の溝部
２Ｂ  クリップ２の開口部
２Ｃ  クリップ２の突部
２Ｄ  クリップ２の受部
２Ｅ  クリップ２の後部
３  軸筒
３Ａ  軸筒３の隆起部
３Ｂ  軸筒３の凹部
３Ｃ  軸筒３の溝部
１２  クリップ
１２Ａ  クリップ１２の溝部
１２Ｃ  クリップ１２の突部
１２Ｄ  クリップ１２の受部
１２Ｅ  クリップ１２の後部
１２Ｆ  クリップ１２の切溝
【図１】
2006192724.tif 000003
【図２】
2006192724.tif 000004
【図３】
2006192724.tif 000005
【図４】
2006192724.tif 000006
【図５】
2006192724.tif 000007
【図６】
2006192724.tif 000008